(57)【要約】【課題】シリコンマイクロホンを機器外装に実装することに伴う可聴周波数帯域内でのマイク出力周波数特性の変動を抑制して、マイク出力音声の音質の劣化を抑制する。【解決手段】シリコンマイクロホン１０を携帯電話機等の電子機器１１の外装１９の内部空間２１内で、外装前面板１９ａの裏面側に実装する。マイクパッケージ１２の蓋２２にマイク音響穴２４を、マイクパッケージ１２の内部空間１３の内壁面１３ａに沿って分散して形成する。外装１９の外装前面板１９ａに外装音響穴３０を、マイクパッケージ１２の内部空間１３の内壁面１３ａに沿って分散して形成する。外部空間３８音は外装音響穴３０から取り込まれ、マイク音響穴２４に入射され、マイクチップ１４で受音される。【選択図】図１
2010187186.tif 000002
【特許請求の範囲】
【請求項１】
マイクパッケージの内部空間にマイクチップを収容配置し、前記マイクパッケージにマイク音響穴を形成し、前記マイクパッケージの外部空間の音を前記マイク音響穴から取り込み該マイクパッケージの内部空間を経て前記マイクチップで受音するシリコンマイクロホンと、
内部に前記シリコンマイクロホンが配置され、外部空間に臨む面に外装音響穴が形成され、外部空間の音を前記外装音響穴から取り込み前記マイク音響穴に入射する外装とを具備してなり、
前記マイク音響穴は前記マイクパッケージの内部空間の内壁面に沿って分散して形成され、
前記外装音響穴は前記マイクパッケージの内部空間の内壁面に沿って分散して形成されたものを有し、または該マイクパッケージの内部空間の内壁面に沿って分散して形成された外縁部分を有しているシリコンマイクロホンの実装構造。
【請求項２】
前記マイク音響穴と前記外装音響穴との間に不織布、メッシュその他の音響抵抗材が配置され、前記外装音響穴から取り込まれた外部空間の音が該音響抵抗材を介して前記外装音響穴に入射される請求項１記載のシリコンマイクロホンの実装構造。
【請求項３】
前記マイク音響穴が前記ダイヤフラムに対面する位置からずれた位置に形成され、および／または前記外装音響穴が前記マイク音響穴に対面する位置からずれた位置に形成されている請求項１または２記載のシリコンマイクロホンの実装構造。
【請求項４】
前記シリコンマイクロホンと前記外装の板面との間に前記マイク音響穴および前記外装音響穴をそれぞれ包囲しかつ該両音響穴を相互に連通させる環状のガスケットが挟み込まれ、
前記外装音響穴の分散範囲の外周ラインおよび前記マイク音響穴の分散範囲の外周ラインが前記ガスケットの内周面に対し所定の等しい距離離れた位置にそれぞれ設定されている請求項１から３のいずれか１つに記載のシリコンマイクロホンの実装構造。
【請求項５】
前記外装音響穴を形成する板面の板厚が前記マイク音響穴を形成する板面の板厚よりも厚く、かつ前記外装音響穴の１個の開口面積は前記マイク音響穴を形成するいずれの穴の開口面積よりも大きく設定されている請求項１から４のいずれか１つに記載のシリコンマイクロホンの実装構造。
【請求項６】
請求項１から５のいずれか１つに記載のシリコンマイクロホンの実装構造を具えた電子機器。
【発明の詳細な説明】
【技術分野】
【０００１】
この発明はシリコンマイクロホン（「ＭＥＭＳマイクロホン」とも称される）を電子機器等の外装（筐体）に実装する構造および該実装構造を具えた電子機器に関し、シリコンマイクロホンを機器外装に実装することに伴う可聴周波数帯域内でのマイク出力周波数特性の変動を抑制して、マイク出力音声の音質の劣化を抑制したものである。
【背景技術】
【０００２】
シリコンマイクロホンは音響穴（以下「マイク音響穴」）が形成されたマイクパッケージ内にマイクチップを収容して構成される。シリコンマイクロホンは、携帯電話機等の電子機器の外装に形成された音響穴（以下「外装音響穴」）とマイク音響穴を相互に連通させた状態で該外装内に収容配置される。これにより機器外部の音は外装音響穴からマイク音響穴を通ってマイクチップで受音される。下記特許文献１にはそれぞれ単一の丸穴で構成される外装音響穴とマイク音響穴を相互に連通させる音響路構造が開示されている。
【先行技術文献】
【特許文献】
【０００３】
【特許文献１】特開２００８−１９９２２５
【発明の概要】
【発明が解決しようとする課題】
【０００４】
シリコンマイクロホンの出力周波数特性はシリコンマイクロホン単体での特性と外装に実装した状態での特性が異なる。特に外装音響穴を単一の丸穴で構成した場合には特性の変化が大きかった。例えば、共振によるピーク周波数がシリコンマイクロホン単体では可聴周波数帯域外であったものが、外装音響穴を単一の丸穴で構成した外装に実装するとピーク周波数が低域側にシフトして可聴周波数帯域内に入り込み、音質を劣化させる場合があった。
【０００５】
この発明は上述の点に鑑みてなされたもので、シリコンマイクロホンを機器外装に実装することに伴う可聴周波数帯域内での出力周波数特性の変動を抑制して、マイク出力音声の音質の劣化を抑制したシリコンマイクロホンの実装構造および該実装構造を具えた電子機器を提供しようとするものである。
【課題を解決するための手段】
【０００６】
この発明の実装構造はマイクパッケージの内部空間にマイクチップを収容配置し、前記マイクパッケージにマイク音響穴を形成し、前記マイクパッケージの外部空間の音を前記マイク音響穴から取り込み該マイクパッケージの内部空間を経て前記マイクチップで受音するシリコンマイクロホンと、内部に前記シリコンマイクロホンが配置され、外部空間に臨む面に外装音響穴が形成され、外部空間の音を前記外装音響穴から取り込み前記マイク音響穴に入射する外装とを具備してなり、前記マイク音響穴は前記マイクパッケージの内部空間の内壁面に沿って分散して形成され、前記外装音響穴は前記マイクパッケージの内部空間の内壁面に沿って分散して形成されたものを有し、または該マイクパッケージの内部空間の内壁面に沿って分散して形成された外縁部分を有しているものである。
【０００７】
この発明の実装構造によれば、外装音響穴がマイクパッケージの内部空間の内壁面に沿って分散して形成されたものを有し、または該マイクパッケージの内部空間の内壁面に沿って分散して形成された外縁部分を有していることにより、外装音響穴が単一の丸穴で構成されている場合に比べて、外装音響穴の全開口面積が同じでも、シリコンマイクロホンを外装に実装することに伴うピーク周波数のシフト量が低減され、可聴周波数帯域内での出力周波数特性の変動を抑制することができる。すなわち外装音響穴が単一の丸穴で構成される場合にピーク周波数のシフト量を低減するためには外装音響穴の開口面積を大きくする必要があるが、この発明の実装構造によれば開口面積の増大を抑えつつ、実装に伴うマイク出力音声の音質の劣化を抑制することができる。またこの発明の実装構造によればマイク音響穴がマイクパッケージの内部空間の内壁面に沿って分散して形成されていることも、周波数特性を平坦化するのに寄与している。またこの発明の実装構造によれば外装音響穴を分散配置することにより、外装音響穴を単一の丸穴で構成した場合に比べて、開口面積が同じでも個々の穴の開口径を小さくすることができ、ゴミ等が進入しにくくなり、耐環境性が向上する。
【０００８】
この発明の実装構造は特に外装音響穴を広い範囲に分散させることにより、実装に伴うピーク周波数のシフト量をより低減することができる。例えば、外装音響穴または外装音響穴の外縁部分の分散範囲の外周ラインをマイク音響穴の分散範囲の外周ラインと等しく設定することができる。この発明の実装構造において、外装音響穴または外装音響穴の外縁部分は、マイクパッケージの内部空間の内壁面に沿って全周に分散して形成することができる。外装音響穴は４個以上の穴で構成することができる。例えばマイクパッケージの内部空間が平面四角形の場合は、外装音響穴は少なくとも内部空間の平面四角形の各隅部に対応する位置に形成された４個の穴で構成することができる。この４個の穴の間に別の穴を追加形成することもできる。この発明の実装構造において外装音響穴の個数はマイク音響穴の個数よりも少なく形成することができる。また一般に外装音響穴を形成する板面の板厚はマイク音響穴を形成する板面の板厚よりも厚く、そのような場合には個々の外装音響穴の開口面積はマイク音響穴を形成するいずれの穴の開口面積よりも大きく設定することができる。これによれば板厚が厚い板面に開口面積が小さい外装音響穴を形成すると、実装に伴うピーク周波数の低域側へのシフト量が大きくなるところ、個々の外装音響穴の開口面積を、マイク音響穴を形成するいずれの穴の開口面積よりも大きく設定することにより、シフト量を抑制することができ、音質の劣化を抑制することができる。また板厚が厚い板面に開口面積が小さい穴を形成するのは難しいところ、マイク音響穴よりも開口面積が大きい外装音響穴を形成すればよいので、外装音響穴を容易に形成することができる。
【０００９】
この発明の実装構造はマイク音響穴と外装音響穴との間に、該マイク音響穴全体と該外装音響穴全体とを相互に連通させる空洞を形成することができる。この空洞には適度な密度と厚さを持った不織布、メッシュ等の音響抵抗材を配置することができる。マイク音響穴と外装音響穴との間に不織布を配置すると、ダンピング効果によりマイク出力の音響特性の共振によるピークを抑制して周波数特性をより平坦化することができる。また不織布、メッシュ等の音響抵抗材を配置すると光、ゴミ、話者の唾液等がマイク音響穴に入り込むのを抑制することができ、耐環境性が向上する。この発明の実装構造はマイク音響穴をダイヤフラムに対面する位置からずれた位置に形成し、および／または外装音響穴をマイク音響穴に対面する位置からずれた位置に形成することができる。これによればダイヤフラムは外装の正面側から見える位置に配置されないので、光、ゴミ、話者の唾液等がダイヤフラムに到達するのを抑制することができ、耐環境性を向上させることができる。この発明の実装構造は、シリコンマイクロホンと外装の板面との間にマイク音響穴および外装音響穴をそれぞれ包囲しかつ該両音響穴を相互に連通させる環状のガスケットを挟み込むことができる。この場合外装音響穴の分散範囲の外周ラインおよびマイク音響穴の分散範囲の外周ラインをガスケットの内周面に対し所定の等しい距離離れた位置にそれぞれ設定することができる。
【００１０】
この発明の電子機器はこの発明の実装構造を具えたものである。
【図面の簡単な説明】
【００１１】
【図１】この発明の実施の形態を示す図で、（ａ）は平面図、（ｂ）は（ａ）のＡ−Ａ矢視断面図（ただし蓋２２はマイク音響穴２４の位置における断面を示す）、（ｃ）は（ａ）のＢ−Ｂ矢視断面図（ただし蓋２２はマイク音響穴２４の位置における断面を示す）である。
【図２】この発明の他の実施の形態を示す平面図で、図１の実装構造に比べて外装音響穴をシリコンマイクロホンの前面中央部寄りの位置に互いに接近させて配列したものである。
【図３】この発明の他の実施の形態を示す平面図で、外装音響穴を図２の配列よりもさらにシリコンマイクロホンの前面中央部寄りの位置に互いに接近させて配列したものである。
【図４】実装構造の比較例を示す平面図で、外装前面板のシリコンマイクロホンの前面中央部に相当する位置に外装音響穴を１個だけ形成したものである。
【図５】図１〜図４の実装構造についてマイク出力の周波数特性を計算（ただし不織布は考慮しないで計算）した結果を示す線図である。
【図６】シリコンマイクロホン単体について、マイク音響穴を開放した場合と不織布を被せてマイク音響穴を塞いだ場合についてマイク出力の周波数特性を実測した結果を示す線図である。
【図７】シリコンマイクロホン単体について、マイク音響穴を開放した場合と不織布を被せてマイク音響穴を塞いだ場合についてマイク出力の周波数特性を実測した結果を示す線図で、図６よりもマイク音響穴の開口面積が大きい場合のものである。
【図８】シリコンマイクロホン単体について、マイク音響穴を開放した場合と不織布を被せてマイク音響穴を塞いだ場合についてマイク出力の周波数特性を実測した結果を示す線図で、図７よりもマイク音響穴の開口面積が大きい場合のものである。
【図９】この発明の他の実施の形態を示す図で、やや斜め上から見た図である。
【発明を実施するための形態】
【００１２】
この発明の実施の形態を図１に示す。これはシリコンマイクロホン１０を携帯電話機１１の外装１９で包囲された内部空間２１に実装したものである。シリコンマイクロホン１０はマイクパッケージ１２の内部空間１３に、マイクロホン本体を構成するＭＥＭＳチップ１４と、ＭＥＭＳチップ１４の出力音声信号にインピーダンス変換等の信号処理をするＬＳＩチップ１６を収容配置して構成される。ＬＳＩチップ１６は必要に応じてポッティング材で密封される。マイクパッケージ１２は、底板を構成する回路基板１８と、回路基板１８の上面に固定される枠状の側壁２０と、側壁２０の上面に固定される蓋２２（前面板）とで構成され、長四角形の前面形状を有する直方体で構成されている。マイクパッケージ１２の外寸は例えば、前面側から見て長手方向が約４ｍｍ、短手方向が約３ｍｍ、厚みが約１ｍｍ等に形成される。ＭＥＭＳチップ１４とＬＳＩチップ１６は回路基板１８上に固定されている。ＭＥＭＳチップ１４の表面１４ａには蓋２２に対面してダイヤフラム（メンブレン）１５による受音面が配置されている。ＬＳＩチップ１６の出力信号は回路基板１８の下面に配置された端子（図示せず）から外部に出力される。蓋２２には同一径の複数個のマイク音響穴２４が、マイクパッケージ１２の内部空間１３の内壁面１３ａに沿って全周（すなわち四辺に）に形成されている。マイク音響穴２４は例えば、蓋２２が金属製であればエッチング等により形成することができる。回路基板１８および側壁２０には穴は形成されていない。外部空間の音はマイク音響穴２４から取り込まれ、マイクパッケージ１２の内部空間１３を経てＭＥＭＳチップ１４のダイヤフラム１５で受音される。
【００１３】
蓋２２における複数個のマイク音響穴２４の構成と配置について説明する。各マイク音響穴２４は蓋２２の面に直角に開設された真っ直ぐな穴として構成されている。各マイク音響穴２４は軸直角方向の断面形状が同一直径の円形（あるいは四角形等も可）に構成されている。マイク音響穴２４の直径は例えば０．２ｍｍである。マイク音響穴２４は該マイク音響穴２４が形成される蓋２２の板厚（例えば０．１ｍｍ）と同程度の微細な直径に形成することもできる。各マイク音響穴２４はＭＥＭＳチップ１４の直上位置を外した位置に、ＭＥＭＳチップ１４の直上位置を取り囲んで、マイクパッケージ１２の内部空間１３の内壁面１３ａに近接する位置に沿って連続的に並べて、全周に分散して形成されている。図１の実施の形態ではマイクパッケージ１２の内部空間１３は前面側から見て四角形状に形成されており、マイク音響穴２４は内部空間１３の四辺の内壁面１３ａに近接する位置に沿って各辺に複数個ずつ連続的に並べて形成されている。
【００１４】
携帯電話機１１に対するシリコンマイクロホン１０の実装構造について説明する。携帯電話機１１の外装１９（筐体）の前面を構成する板（外装前面板）１９ａには外装音響穴（送話口）３０が形成されている。外装前面板１９ａの裏面には外装音響穴３０を塞ぐ位置に不織布２６が貼り付けられている。不織布２６はポリエステル、ポリエチレン、フッ素樹脂、ガラス繊維、ナイロン、紙等で構成され、適度な密度と厚さを持ったものが使用される。外装１９の内部空間２１にはシリコンマイクロホン１０を搭載した基板３４が収容配置されている。シリコンマイクロホン１０は外装前面板１９ａの裏面に不織布２６を間に挟み込んで配置されている。シリコンマイクロホン１０の前面外縁部と外装前面板１９ａの裏面との間には長四角環状のガスケット３６が挟み込まれている。ガスケット３６は外装前面板１９ａの裏面に貼り付けられている。ガスケット３６はシリコンマイクロホン１０の前面外縁部と外装前面板１９ａの裏面との間に空洞３５を形成する。不織布２６はこの空洞３５に配置されている。外装音響穴３０はこの実施に形態では６個の穴で構成されているが、マイクパッケージ１２の平面四角形の内部空間１３の各隅部に対応する位置にそれぞれ形成した穴を含む少なくとも４個以上の穴で構成することができる。なおこの発明の実装構造は、外装音響穴３０を外周側の外装音響穴として、外装音響穴３０で包囲される領域内に内周側の外装音響穴を別途形成することもできる。各外装音響穴３０は外装前面板１９ａの面に直角に開設された真っ直ぐな穴として構成されている。各外装音響穴３０は軸直角方向の断面形状が同一直径の円形（あるいは四角形等も可）に構成されている。外装音響穴３０は例えば該外装音響穴３０が形成される外装前面板１９ａの板厚と同程度の直径に形成することができる。この実施の形態では外装の板厚は例えば０．５ｍｍであり、その場合外装音響穴３０の直径は０．５ｍｍに設定することができる。外装音響穴３０は、ガスケット３６によって包囲される領域内に、マイクパッケージ１２の内部空間１３の内壁面１３ａに沿って（言い換えればマイク音響穴２４の配列に沿って）分散して形成されている。この実施の形態では外装音響穴３０の分散範囲の外周ラインＬ２はマイク音響穴２４の分散範囲の外周ラインＬ１と等しく設定されている。したがって外装音響穴３０とマイク音響穴２４とは正面から見て一部で相互に重なった部分を有する。この実施の形態では外周ラインＬ１，Ｌ２はガスケット３６の内周面３６ａに対し、組立誤差を見込んだ所定距離ｄ離れた位置に設定されている。ガスケット３６はマイク音響穴２４の全部と外装音響穴３０の全部を気密に包囲して外装１９の内部空間２１と外部空間３８とを気密に遮断した状態で、シリコンマイクロホン１０の前面と外装前面板１９ａの裏面との間の空洞３５に配置された不織布２６を介して全マイク音響穴２４と全外装音響穴３０とを相互に連通させる。これにより外部空間３８で発せられた話者の音声は外装音響穴３０から取り込まれ、不織布２６を介してシリコンマイクロホン１０のマイク音響穴２４に入射され、シリコンマイクロホン１０の内部に配置されたＭＥＭＳチップ１４のダイヤフラム１５で受音される。
【００１５】
この発明の実装構造によるマイク出力の周波数特性について説明する。ここでは比較のためにこの発明に該当する図１の実装構造のほか、同じくこの発明に該当するもので外装音響穴３０の配置を異ならせた図２、図３の実装構造と、この発明に該当しない図４の実装構造についてマイク出力の周波数特性をそれぞれ計算した。図２の実装構造は、図１の実装構造に比べて６個の外装音響穴３０をシリコンマイクロホン１０の前面中央部寄りの位置に互いに接近させて配列したものである。外装音響穴３０の分散範囲の外周ラインＬ２はマイク音響穴２４の分散範囲の外周ラインＬ１よりも内周側に位置している。図３の実装構造は、６個の外装音響穴３０を図２の配列よりもさらにシリコンマイクロホン１０の前面中央部寄りの位置に互いに接近させて配列したものである。外装音響穴３０の分散範囲の外周ラインＬ２はマイク音響穴２４の分散範囲の外周ラインＬ１よりもさらに内周側に位置している。図４の実装構造はシリコンマイクロホン１０の前面中央部に相当する位置で、外装前面板１９ａに外装音響穴３０’を１個だけ形成したものである。図１〜図４の実装構造の外装音響穴３０，３０’の開口面積（外装音響穴３０は６個の穴の開口面積を合計した面積）を等しく設定して計算した。またいずれも不織布２６を考慮しない（すなわち配置しない）ものとして計算した。各部の寸法は次のように設定して計算した。
・マイク音響穴２４：厚み０．１ｍｍの蓋２２に直径０．２ｍｍの穴を１６個
・外装前面板１９ａの厚み：０．５ｍｍ
・図１、図２、図３の外装音響穴３０：直径０．２ｍｍの穴を６個（全開口面積＝１．１７８×１０-6ｍ2）
・図２の外装音響穴３０’：直径１．２２５ｍｍの穴を１個（開口面積＝１．１７８×１０-6ｍ2）
【００１６】
図１〜図４の実装構造についてマイク出力の周波数特性を計算した結果を図５に示す。いずれも共振によるピークが生じている。そのピーク周波数は、
・図１の実装構造：２２．５ｋＨｚ
・図２の実装構造：２２ｋＨｚ
・図３の実装構造：２０ｋＨｚ
・図４の実装構造：１８ｋＨｚ
である。シリコンマイクロホン１０を外装１９に実装する前のシリコンマイクロホン１０単体での共振によるピーク周波数は図５に示すように３４ｋＨｚであるから、シリコンマイクロホン１０を外装１９に実装することにより、共振によるピーク周波数が低域側にシフトすることが分かる。したがってシリコンマイクロホン１０を外装１９に実装すると、可聴周波数帯域で周波数特性が平坦でなくなり音質が劣化する。ただし、この発明による図１〜図３の実装構造によれば、外装１９に外装音響穴３０’を１個だけ形成した図４の実装構造に比べて、いずれもピーク周波数が低域側にシフトする量が抑制されている。すなわち可聴周波数帯域が２０ｋＨｚよりも低域側の帯域であるとすると、外装１９に外装音響穴３０’を１個だけ形成した図４の実装構造ではピーク周波数が可聴周波数帯域内に入り込んでいるのに対し、この発明による図１〜図３の実装構造によれば、ピーク周波数は依然として可聴周波数帯域外にある。このようにこの発明による図１〜図３の実装構造によれば、図４の実装構造に比べて、ピーク周波数のシフト量が抑制されるから、その分可聴周波数帯域内での周波数特性の変動が抑制され、音質の劣化が抑制されることが分かる。またこの発明による図１〜図３の実装構造どうしを比べると、ピーク周波数の低域側へのシフト量は、図３の実装構造よりも図２の実装構造の方が少なく、図２の実装構造よりも図１の実装構造の方が少なくなっているから、６個の外装音響穴３０は広く分散させた方がシリコンマイクロホン１０を外装１９に実装することに伴う可聴周波数帯域内での周波数特性の変動が抑制され、音質がよくなることが分かる。
【００１７】
次にシリコンマイクロホン１０のマイク音響穴２４を塞ぐように配置した不織布２６の効果について説明する。ここではマイク音響穴の開口面積を異ならせた３個のシリコンマイクロホンを作製し、その各々について、不織布を使用しないでマイク音響穴を開放した場合と不織布を被せてマイク音響穴を塞いだ場合についてマイク出力の周波数特性を実測した。いずれも外装に実装しないシリコンマイクロホン単体の状態で測定した。図６〜図８にその結果を示す。シリコンマイクロホンのマイク音響穴の開口面積は図６＜図７＜図８に設定した。図６〜図８によれば、不織布を使用しない場合は、マイク音響穴の開口面積が大きくなるほど共振によるピーク周波数が高域側へ移行することが分かる。また不織布を使用すると、ダンピング効果によりピークが消失することが分かる。さらに、不織布を使用しない状態でピーク周波数が高域側にあるほど、不織布を使用したときに可聴周波数帯域の特性が平坦になることが分かる。図６〜図８のシリコンマイクロホン単体での実験結果によれば、図１〜図４の実装状態についても不織布２６を使用することにより共振によるピークを消失できるものと推測される。またこの発明により外装音響穴３０を分散配置した方（図１〜図３）が、１つの丸穴による外装音響穴３０’を使用した場合（図４）よりも、ピーク周波数が高域側に生じるので（図５）、不織布２６を使用した場合に可聴周波数帯域の特性を平坦化できるものと推測される。またこの発明により外装音響穴３０を分散配置する場合に、外装音響穴３０どうしを離した方が、ピーク周波数が高域側に生じるので（図５）、外装音響穴３０どうしを離した方が、不織布２６を使用した場合に可聴周波数帯域の特性をより平坦化できる（低域から１５ｋ〜２０ｋＨｚ程度まで平坦化できる）ものと推測される。
【００１８】
さらに、図１〜図３の実装構造によれば、マイク音響穴２４をマイクパッケージ１２の内部空間１３の内壁面１３ａに沿って分散して形成しているので、マイクパッケージ１２の蓋２２の中央に１個のマイク音響穴を形成した場合に比べてピーク周波数を高域にシフトして可聴周波数帯域で周波数特性を平坦化することができる。この点については本出願人の出願に係る特願２００９−６３５９、特願２００９−１１１９３を参照されたい。
【００１９】
図１〜図３の実装構造による耐環境性について説明する。図１の実装構造によれば、周波数特性を平坦化するために図４の実装構造に比べて外装音響穴３０の全開口面積を小さくできるので、光、ゴミ、話者の唾液等がダイヤフラム１５に到達するのを抑制することができ、耐環境性が向上する。また外装音響穴３０は分散配置されているので、外装音響穴を単一の丸穴で構成した場合に比べて、全開口面積が同じでも個々の穴の開口径を小さくすることができ、ゴミ等が進入しにくくなり、これによっても耐環境性が向上する。また図１の実装構造は正面から見て外装音響穴３０とマイク音響穴２４とは一部の領域でしか重なっていないので、光、ゴミ、話者の唾液等がダイヤフラム１５に到達するのを抑制することができ、これによっても耐環境性が向上する。図２、図３の実装構造は正面から見て外装音響穴３０とマイク音響穴２４とは全く重なっていないので、光、ゴミ、話者の唾液等がダイヤフラム１５に到達するのをより抑制することができ、耐環境性がより向上する。さらには図１〜図３の実装構造によれば、正面から見てダイヤフラム１５とマイク音響穴２４とは重なっていないので、光、ゴミ、話者の唾液等がダイヤフラム１５に到達するのをより抑制することができ、耐環境性がより向上する。
【００２０】
この発明の他の実施の形態を図９に示す。これは外装に形成する外装音響穴の形状を変更したものである。外装音響穴３２はマイクパッケージ１２の内部空間の内壁面に沿って分散して形成された外縁部分３２ａを有している。外装音響穴３２の外縁部分３２ａの分散範囲の外周ラインＬ２はマイク音響穴２４の分散範囲の外周ラインＬ１と等しく設定されている。したがって外装音響穴３２とマイク音響穴２４とは正面から見て一部で相互に重なった部分を有する。なお図９では外装音響穴３２は４個の穴で構成されている、これらを中央部で相互に連結して単一の外装音響穴として構成することもできる。
【００２１】
前記実施の形態では音響抵抗材として不織布を用いた場合について説明したが、金属等によるメッシュを用いてもダンピング効果を得ることができる。また音響抵抗材でダンピング効果を得るのに代えて、マイク出力信号をフィルタ回路に入力して、該フィルタ回路の電気的処理によりダンピング効果を得ることもできる。また前記実施の形態ではこの発明の実装構造を携帯電話機に適用した場合について説明したが、この発明の実装構造は携帯電話機に限らず、カメラ、パソコンその他の電子機器にも適用することができる。
【符号の説明】
【００２２】
１０…シリコンマイクロホン、１１…携帯電話機（電子機器）、１２…マイクパッケージ、１３…マイクパッケージの内部空間、１３ａ…マイクパッケージの内部空間の内壁面、１４…マイクチップ、１５…ダイヤフラム、１９…外装、１９ａ…外装前面板（外装の外部空間に臨む面）、２１…外装の内部空間、２４…マイク音響穴、２６…不織布（音響抵抗材）、３０，３２…外装音響穴（送話口）、３２ａ…外装音響穴の外縁部分、３５…マイク音響穴全体と外装音響穴全体とを相互に連通させる空洞、３６…ガスケット、３６ａ…ガスケットの内周面、３８…外部空間、Ｌ１…マイク音響穴２４の分散範囲の外周ライン、Ｌ２…外装音響穴または外装音響穴の外縁部分の分散範囲の外周ライン、ｄ…外装音響穴の分散範囲の外周ラインおよびマイク音響穴の分散範囲の外周ラインとガスケットの内周面との距離
【図１】
2010187186.tif 000003
【図２】
2010187186.tif 000004
【図３】
2010187186.tif 000005
【図４】
2010187186.tif 000006
【図５】
2010187186.tif 000007
【図６】
2010187186.tif 000008
【図７】
2010187186.tif 000009
【図８】
2010187186.tif 000010
【図９】
2010187186.tif 000011